(57)【要約】【課題】  球面部を有する複数の物品を物品包装体内に安定した状態で収容する。【解決手段】  長尺側面部４の下端側から箱体２の内部に向けて斜めに折返される物品支持片２１を設けることにより、各切欠溝２１Ａに掛止めした各化粧品容器２３をまとめて箱体２の内壁面に弾性的に押付ける構成とする。また、下側蓋部１４によって箱体２の下側開口部８を閉塞したときに、下側蓋部１４の押圧部１４Ａが、物品支持片２１に下面側から当接してこれを箱体２の内側に向けて押圧する構成とする。これにより、物品支持片２１に取付けられた複数の化粧品容器２３を、箱体２を構成する長尺側面部４の内壁面と上側蓋部１７の内壁面とに押付けて挟持することができ、複数の化粧品容器２３を単一の箱体２内に安定した状態で収容することができる。【選択図】        図１
2005145546.tif 000002
【特許請求の範囲】
【請求項１】
球面部を有する複数の物品を左，右方向に並べた状態で内部に収容する箱体と、
該箱体の内部に配置され前記複数の物品がそれぞれ掛止めされる複数の掛止め部を有した物品支持片とからなり、
前記箱体と前記物品支持片とは１枚の弾性シートにより一体物として形成し、前記物品支持片は、前記箱体の内部に向けて斜めに折返されることにより前記各掛止め部に掛止めされた前記複数の物品をそれぞれ前記箱体のうち前記物品支持片と対向する内壁面に弾性的に押付ける構成としてなる物品包装体。
【請求項２】
前記物品支持片は前記箱体の内部に向けて斜めに延び、その先端側には前記複数の掛止め部を設ける構成としてなる請求項１に記載の物品包装体。
【請求項３】
前記物品支持片は、前記箱体の内部に向けて斜めに折返された折返し部と、該折返し部の先端から水平方向に延び先端側に前記複数の掛止め部が設けられた取付部とにより構成してなる請求項１に記載の物品包装体。
【請求項４】
前記箱体は、前記各物品を挟んで前，後方向で対面し前記各物品が並べられた左，右方向に延びた前，後の長尺側面部と、該各長尺側面部の左，右方向両端側に位置し左，右方向で対面する左，右の短尺側面部と、これら各長尺側面部と各短尺側面部との間に形成された上，下の開口部を開，閉する上，下の蓋部とにより構成し、
前記物品支持片は、前記前，後の長尺側面部のうち一方の長尺側面部から前記箱体の内側に向けて折返すことにより形成し、前記各物品を前記一方の長尺側面部の内壁面と前記蓋部の内壁面とに押付ける構成としてなる請求項１，２または３に記載の物品包装体。
【請求項５】
前記上，下の蓋部のうち一方の蓋部は、前記前，後の長尺側面部のうち他方の長尺側面部から前記一方の長尺側面部に向けてほぼ直角に折曲げることにより形成し、該一方の蓋部の先端には、前記箱体内に差込まれることにより前記物品支持片に当接し該物品支持片を前記箱体の内壁面に向けて押圧する押圧部を設ける構成としてなる請求項４に記載の物品包装体。
【請求項６】
前記前，後の長尺側面部のうち前記他方の長尺側面部には、前記一方の蓋部の左，右両側から該他方の長尺側面部の途中部位まで延びる左，右の切込み部と、該左，右の切込み部間を左，右方向に延びた折曲げ線とを設け、該折曲げ線に沿って前記一方の蓋部を前記箱体の外側に折曲げることにより、前記左，右の切込み部が前記箱体の開口部を拡張する構成としてなる請求項４または５に記載の物品包装体。
【発明の詳細な説明】
【技術分野】
【０００１】
本発明は、球面部を有する複数の物品を安定させた状態で収容するのに好適に用いられる物品包装体に関する。
【背景技術】
【０００２】
一般に、化粧品等が充填された容器、電球、果物等の球面部を有する物品を輸送する場合には、これらの物品を安定した状態で収容する物品包装体が用いられる（例えば、特許文献１参照）。
【０００３】
【特許文献１】特開平１１−３２１８５４号公報
【０００４】
この従来技術による物品包装体は、内部に球面部をもった物品を収容する箱体と、該箱体内に配置され物品の球面部が嵌合する嵌合孔を備えた物品支持部材とを備え、この物品支持部材の嵌合孔に物品を嵌合させることにより、球面部をもった物品を、箱体内に安定した状態で収容することができる構成となっている。
【発明の開示】
【発明が解決しようとする課題】
【０００５】
しかし、上述した従来技術による包装体は、球面部を有する１個の物品を包装（収容）する構成となっているだけであり、複数の物品を包装するものではなく、球面部を有する複数の物品を単一の包装体内に安定して収容することはできないという問題がある。
【０００６】
特に、所定の位置に固定し難い不安定な形状である球面部を有する物品を、１個の包装体内に複数個並べて収容する場合には、これら各物品が互いに衝突して損傷するのを防止するため、または、各物品が所定の位置に固定されることにより優れた意匠的な効果を得るため、複数個の物品をほぼ固定した状態で包装体内に収容する必要がある。
【０００７】
本発明は上述した従来技術の問題に鑑みなされたもので、球面部を有する複数の物品を単一の箱体内に安定した状態で収容することができ、運搬、搬送時等に物品が互いに衝突、損傷するのを防止でき、かつ意匠的にも優れた物品包装体を提供することを目的としている。
【課題を解決するための手段】
【０００８】
上述した課題を解決するため請求項１の発明に係る物品包装体は、球面部を有する複数の物品を左，右方向に並べた状態で内部に収容する箱体と、該箱体の内部に配置され複数の物品がそれぞれ掛止めされる複数の掛止め部を有した物品支持片とからなり、箱体と物品支持片とは１枚の弾性シートにより一体物として形成し、物品支持片は、箱体の内部に向けて斜めに折返されることにより各掛止め部に掛止めされた複数の物品をそれぞれ箱体のうち物品支持片と対向する内壁面に弾性的に押付ける構成としてなる。
【０００９】
請求項２の発明は、物品支持片は箱体の内部に向けて斜めに延び、その先端側には複数の掛止め部を設ける構成としたことにある。
【００１０】
請求項３の発明は、物品支持片は、箱体の内部に向けて斜めに折返された折返し部と、該折返し部の先端から水平方向に延び先端側に複数の掛止め部が設けられた取付部とにより構成したことにある。
【００１１】
請求項４の発明は、箱体は、各物品を挟んで前，後方向で対面し各物品が並べられた左，右方向に延びた前，後の長尺側面部と、該各長尺側面部の左，右方向両端側に位置し左，右方向で対面する左，右の短尺側面部と、これら各長尺側面部と各短尺側面部との間に形成された上，下の開口部を開，閉する上，下の蓋部とにより構成し、物品支持片は、前，後の長尺側面部のうち一方の長尺側面部から箱体の内側に向けて折返すことにより形成し、各物品を一方の長尺側面部の内壁面と蓋部の内壁面とに押付ける構成としたことにある。
【００１２】
請求項５の発明は、上，下の蓋部のうち一方の蓋部は、前，後の長尺側面部のうち他方の長尺側面部から前記一方の長尺側面部に向けてほぼ直角に折曲げることにより形成し、一方の蓋部の先端には、箱体内に差込まれることにより物品支持片に当接し該物品支持片を箱体の内壁面に向けて押圧する押圧部を設ける構成としたことにある。
【００１３】
請求項６の発明は、前，後の長尺側面部のうち他方の長尺側面部には、一方の蓋部の左，右両側から該他方の長尺側面部の途中部位まで延びる左，右の切込み部と、該左，右の切込み部間を左，右方向に延びた折曲げ線とを設け、該折曲げ線に沿って一方の蓋部を箱体の外側に折曲げることにより、左，右の切込み部が箱体の開口部を拡張する構成としたことにある。
【発明の効果】
【００１４】
請求項１の発明によれば、箱体の内部に向けて斜めに折返された物品支持片の各掛止め部に、それぞれ物品を掛止めすると、この物品支持片の弾性によって複数の物品をそれぞれ箱体のうち物品支持片と対向する内壁面に弾性的に押付けることができる。従って、球面部を有する複数の物品を、物品支持片と箱体との間で弾性的に挟持することにより、単一の箱体内に複数個の物品を安定して収容することができ、輸送時等において各物品が互いに衝突して損傷するのを抑えることができ、各物品がずれることなく優れた意匠的な効果を得ることができる。しかも、箱体と物品支持片とは、１枚の弾性シートを用いて一体物として形成されるので、物品包装体全体の製造コストを低減することができる。
【００１５】
請求項２の発明によれば、箱体の内部に向けて斜めに延びた物品支持片の先端側に複数の掛止め部を設けたので、これら各掛止め部に掛止めした物品を、物品支持片に沿って確実に箱体の内壁面に押付けることができる。
【００１６】
請求項３の発明によれば、物品支持片の折返し部から水平方向に延びた取付部に、複数の物品を掛止めする掛止め部を設けたので、該各掛止め部に対して物品を掛止めする作業を容易に行うことができる。
【００１７】
請求項４の発明によれば、物品支持片は、箱体を構成する前，後の長尺側面部のうち一方の長尺側面部から箱体の内側に向けて折返されることにより、この折返し部分を中心として箱体の内壁面に向けて常時付勢されているので、各物品を箱体の内壁面に確実に押付けて弾性的に支持することができる。
【００１８】
請求項５の発明によれば、上，下の蓋部のうち一方の蓋部によって箱体の開口部を閉塞し、該一方の蓋部の先端に設けられた押圧部を箱体内に差込むと、この押圧部が物品支持片に当接してこれを箱体の内壁面に向けて押圧する。これにより、物品支持片には、それ自体の弾性力と一方の蓋部の押圧部からの押圧力とが作用するので、物品支持片の掛止め部に掛止めされた複数の物品を、より大きな力で箱体の内壁面に押付けることができ、これら各物品を箱体内で弾性的に保持することができる。
【００１９】
請求項６の発明によれば、前，後の長尺側面部のうち他方の長尺側面部に、一方の蓋部の左，右両側から延びる左，右の切込み部と、該左，右の切込み部間を左，右方向に延びた折曲げ線とを設けたので、この折曲げ線に沿って一方の蓋体を箱体の外側に折曲げることにより、左，右の切込み部によって箱体の開口部を拡張することができる。これにより、箱体内に収容した複数の物品を陳列したり、箱体内から個別に取出したりするときの操作性や視認性を高めることができ、この物品包装体を物品の陳列ケースとしても用いることができる。
【発明を実施するための最良の形態】
【００２０】
以下、本発明に係る物品包装体の実施の形態を、化粧品が充填された複数の球状の容器を包装（収容）する場合を例に挙げ、図１ないし図１０を参照しつつ詳細に説明する。まず、図１ないし図４は本発明の第１の実施の形態を示している。
【００２１】
図中、１は本実施の形態による物品包装体を示し、該物品包装体１は、後述する化粧品容器２３を複数個並べて収容するもので、後述の箱体２と、物品支持片２１とにより大略構成されている。
【００２２】
ここで、物品包装体１を構成する箱体２と物品支持片２１とは、透明な合成樹脂材料等からなる１枚の弾性シートを用いて一体物として形成され、図１は物品包装体１を組立てた状態を示し、図２は物品包装体１を展開した状態を示している。なお、物品包装体１の素材となる弾性シートの材質としては、例えばポリエチレンテレフタレートもしくはその共重合体、ポリプロピレンもしくはその共重合体、ポリスチレンもしくはその共重合体、あるいはこれらの積層体等が挙げられる。また、弾性シートの厚みは、該弾性シートを折曲げたときの弾性力を確保するために、好ましくは０．２〜０．５ｍｍに設定されている。
【００２３】
２は物品包装体１の外殻を構成する箱体で、該箱体２は、左，右方向に長く延び前，後方向で対面する前，後の長尺側面部３，４と、該各長尺側面部３，４の両端側に位置し左，右方向で対面する左，右の短尺側面部５，６とを備え、長尺側面部３の一端側には接着部（糊しろ）３Ａが設けられている。
【００２４】
そして、これら前，後の長尺側面部３，４と、左，右の短尺側面部５，６とは、図２中に点線で示す４本の折曲げ線７の位置でほぼ直角に折曲げられ、長尺側面部３の接着部３Ａを短尺側面部５に接着することにより角筒状に組立てられる。この場合、各側面部３，４，５，６の下側には下側開口部８が形成され、各側面部３，４，５，６の上側には上側開口部９が形成されている。
【００２５】
１０，１０は左，右の短尺側面部５，６の下端側（下側開口部８側）に一体に設けられた左，右の下側サイドフラップで、これら各下側サイドフラップ１０は、図２中に点線で示す折曲げ線１１の位置で下側開口部８側にほぼ直角に折曲げることにより、該下側開口部８の左，右両側を部分的に覆うものである。そして、左，右の下側サイドフラップ１０は、後述する下側蓋部１４の押圧部１４Ａが係合することにより、該下側蓋部１４を閉位置に保持するものである。
【００２６】
１２，１２は左，右の短尺側面部５，６の上端側（上側開口部９側）に一体に設けられた左，右の上側サイドフラップで、これら各上側サイドフラップ１２は、図２中に点線で示す折曲げ線１３の位置で上側開口部９側にほぼ直角に折曲げることにより、該上側開口部９の左，右両側を部分的に覆うものである。そして、左，右の上側サイドフラップ１２は、後述する上側蓋部１７の差込み部１７Ａが係合することにより、該上側蓋部１７を閉位置に保持するものである。
【００２７】
１４は下側開口部８を開，閉する下側蓋部で、該下側蓋部１４は、長尺側面部３（他方の長尺側面部）の下端側（下側開口部８側）に一体に設けられている。
【００２８】
ここで、下側蓋部１４は、図２中に点線で示す折曲げ線１５の位置で長尺側面部４（一方の長尺側面部）に向けて折曲げられ、その先端側には、折曲げ線１６を介して押圧部１４Ａが設けられている。そして、下側蓋部１４によって下側開口部８を閉塞したときには、押圧部１４Ａは、折曲げ線１６の位置から箱体２の内部へと折曲げられ、図４に示すように、後述する物品支持片２１に当接してこれを箱体２の内側に向けて押圧する構成となっている。
【００２９】
１７は上側開口部９を開，閉する上側蓋部で、該上側蓋部１７は、長尺側面部４（一方の長尺側面部）の上端側（上側開口部９側）に一体に設けられている。
【００３０】
ここで、上側蓋部１７は、図２中に点線で示す折曲げ線１８の位置で長尺側面部３に向けて折曲げられ、その先端には、折曲げ線１９を介して差込み部１７Ａが設けられている。そして、上側蓋部１７によって上側開口部９を閉塞したときには、差込み部１７Ａは、折曲げ線１９の位置で折曲げられて箱体２内に差込まれる構成となっている。
【００３１】
２１は箱体２内に配置された物品支持片で、該物品支持片２１は、後述する複数の化粧品容器２３を箱体２内で支持するもので、該箱体２と一体形成されている。ここで、物品支持片２１は、箱体２を構成する長尺側面部４（一方の長尺側面部）の下端側（下側開口部８側）に設けられ、図２中の点線で示す折曲げ線２２の位置から箱体２の内部に向けて弾性をもって斜めに折返されている。
【００３２】
そして、物品支持片２１は、長尺側面部４の下端側から箱体２の内部へと斜め上向きに延び、その先端側には、掛止め部としての４個のＵ字状の切欠溝２１Ａが形成されている。この場合、各切欠溝２１Ａは、化粧品容器２３を掛止めするもので、その幅寸法Ａは、化粧品容器２３を構成する後述の取出し口２３Ｂの外径寸法よりも大きく、後述するキャップ２３Ｃの外径寸法よりも小さく設定されている。
【００３３】
ここで、長尺側面部４から箱体２内に折返された物品支持片２１は、折曲げ線２２の位置を中心として箱体２（長尺側面部４）の内壁面に向かう弾性力を有している。また、下側蓋部１４によって下側開口部８を閉塞したときには、図４に示すように、下側蓋部１４の押圧部１４Ａが、物品支持片２１の背面に下側から当接し、これを箱体２の内壁面へ向けて押圧する。
【００３４】
従って、物品支持片２１には、それ自体の弾性力と下側蓋部１４の押圧部１４Ａからの押圧力とが同時に作用するようになり、物品支持片２１の各切欠溝２１Ａに取付けられた化粧品容器２３は、箱体２を構成する長尺側面部４の内壁面と上側蓋部１７の内壁面とに押付けられる。これにより、化粧品容器２３は、物品支持片２１と箱体２の内壁面（長尺側面部４、上側蓋部１７）との間で挟持されてほぼ固定され、箱体２内に安定して収容される構成となっている。
【００３５】
２３，２３，…は物品包装体１内に収容（包装）される物品としての化粧品容器で、該化粧品容器２３は、内部に乳液、ネイルカラー液等の液体（図示せず）が充填された中空な球面ボトル２３Ａと、球面ボトル２３Ａ内の液体を取出す円筒状の取出し口２３Ｂと、該取出し口２３Ｂを閉塞するキャップ２３Ｃとにより大略構成されている。この場合、各化粧品容器２３は、球面ボトル２３Ａを有しているため、所定の位置に固定し難い物品となっている。
【００３６】
そして、化粧品容器２３は、図１に示すように、上側開口部９から箱体２内に斜め下向きに挿入され、物品支持片２１の切欠溝２１Ａに取出し口２３Ｂを差込むことにより、該物品支持片２１に掛止めされるものである。ここで、上述したように、切欠溝２１Ａの幅寸法Ａを、化粧品容器２３の取出し口２３Ｂの外径よりも大きく、キャップ２３Ｃの外径よりも小さく設定することにより、化粧品容器２３が軸方向に抜出すのを確実に防止することができる構成となっている。
【００３７】
本実施の形態による物品包装体１は上述の如き構成を有するもので、該物品包装体１を図２に示す展開状態から組立てる場合には、まず、前，後の長尺側面部３，４と、左，右の短尺側面部５，６とを、図２中の４本の折曲げ線７の位置で折曲げ、長尺側面部３の接着部３Ａを短尺側面部５に接着することにより角筒状に組立てる（図３参照）。
【００３８】
また、左，右の下側サイドフラップ１０を、図２中の折曲げ線１１の位置で下側開口部８側に折曲げると共に、左，右の上側サイドフラップ１２を、図２中の折曲げ線１３の位置で上側開口部９側に折曲げる。
【００３９】
次に、物品支持片２１を、図２中の折曲げ線２２の位置で箱体２の内部に向けて折曲げる。そして、下側蓋部１４を、図２中の折曲げ線１５の位置で箱体２側に折曲げた後、この下側蓋部１４の押圧部１４Ａを、図２中の折曲げ線１６の位置で折曲げて箱体２内に差込み、左，右の下側サイドフラップ１０に係合させる。
【００４０】
これにより、下側蓋部１４が閉位置に保持され、箱体２の下側開口部８が閉塞される。このとき、図４に示すように、下側蓋部１４の押圧部１４Ａは、箱体２内に差込まれた状態で、物品支持片２１の背面に下側から当接し、これを箱体２の内側へ向けて押圧する。
【００４１】
次に、組立てた物品包装体１内に化粧品容器２３を収容する場合には、図１に示すように、化粧品容器２３を、上側開口部９から斜め下向きに箱体２内に挿入し、物品支持片２１の切欠溝２１Ａに取出し口２３Ｂを差込む。この場合、切欠溝２４Ａの幅寸法Ａは、化粧品容器２３の取出し口２３Ｂの外径よりも大きく、キャップ２３Ｃの外径よりも小さく設定されているので、化粧品容器２３が、物品支持片２１から軸方向に抜出すのを確実に防止することができる。
【００４２】
そして、物品支持片２１に４個の化粧品容器２３を取付けた後、上側蓋部１７を、図２中の折曲げ線１８の位置で箱体２側に折曲げ、この上側蓋部１７の差込み部１７Ａを、図２中の折曲げ線１９の位置で折曲げて箱体２内に差込み、左，右の上側サイドフラップ１２に係合させることにより、上側蓋部１７によって上側開口部９を閉塞する。
【００４３】
このとき、物品支持片２１には、折曲げ線２２の位置を中心とした箱体２の内壁面に向かう自らの弾性力と、下側蓋部１４の押圧部１４Ａからの押圧力とが同時に作用し、物品支持片２１に取付けられた各化粧品容器２３の球面ボトル２３Ａは、箱体２を構成する長尺側面部４の内壁面と上側蓋部１７の内壁面とに押付けられる。これにより、各化粧品容器２３を、物品支持片２１と箱体２の内壁面（長尺側面部４、上側蓋部１７）との間で挟持することができ、これら各化粧品容器２３を物品包装体１内に安定して収容することができる。
【００４４】
かくして、本実施の形態によれば、長尺側面部４の下端側から箱体２の内部に向けて斜めに折返される物品支持片２１を設けることにより、各切欠溝２１Ａに掛止めした各化粧品容器２３を、まとめて箱体２の内壁面に弾性的に押付けることができる。これにより、物品支持片２１に取付けられた各化粧品容器２３を、物品支持片２１と箱体２の内壁面（長尺側面部４、上側蓋部１７）との間で挟持して安定させることができる。
【００４５】
しかも、下側蓋部１４によって箱体２の下側開口部８を閉塞したときに、下側蓋部１４の押圧部１４Ａが、物品支持片２１に下面側から当接してこれを箱体２の内側に向けて押圧する構成としたので、物品支持片２１に取付けられた４個の化粧品容器２３を、それぞれ大きな力で箱体２の内壁面に押付けることができ、該化粧品容器２３を箱体２内でほぼ確実に固定することができる。
【００４６】
このように、単一（１個）の物品包装体１内に４個の化粧品容器２３を並べて収容し、これら４個の化粧品容器２３を物品支持片２１と箱体２の内壁面との間でまとめて挟持することができるので、輸送時等において各化粧品容器２３が互いに衝突して損傷するのを抑えることができ、かつ、各化粧品容器２３が箱体２内でずれることなく優れた意匠的な効果を得ることができる。
【００４７】
さらに、物品包装体１を構成する箱体２と物品支持片２１とを、透明な１枚の弾性シートを用いて一体形成したので、例えば箱体と物品支持片とを別部材として形成する場合に比較して、部品点数を削減し、物品包装体１の製造コストを低減することができる。また、箱体２内に収容された各化粧品容器２３を外部から目視することができるので、この化粧品容器２３を含む物品包装体１全体の外観の審美性を高めることができる。
【００４８】
次に、図５ないし図７は本発明の第２の実施の形態を示し、本実施の形態の特徴は、物品支持片を、箱体の内部に向けて斜めに折返された折返し部と、該折返し部の先端から水平方向に延びた取付部とにより構成したことにある。なお、本実施の形態では、上述した第１の実施の形態と同一の構成要素に同一符号を付し、その説明を省略するものとする。
【００４９】
図中、３１は本実施の形態による物品包装体で、該物品包装体３１は、第１の実施の形態による物品包装体１とほぼ同様に、箱体２と、後述の物品支持片３２とにより大略構成されるものの、物品支持片３２の構成が、第１の実施の形態による物品支持片２１とは異なるものである。
【００５０】
ここで、物品包装体３１を構成する箱体２と物品支持片３２とは、第１の実施の形態と同様に、透明な１枚の弾性シートを用いて一体形成され、図５は物品包装体３１を組立てた状態を示し、図６は物品包装体３１を展開した状態を示している。なお、物品包装体３１の素材となる弾性シートの材質としては、例えばポリエチレンテレフタレートもしくはその共重合体、ポリプロピレンもしくはその共重合体、ポリスチレンもしくはその共重合体、あるいはこれらの積層体等が挙げられる。また、弾性シートの厚みは、該弾性シートを折曲げたときの弾性力を確保するために、好ましくは０．２〜０．５ｍｍに設定されている。
【００５１】
３２は第１の実施の形態による物品支持片２１に代えて本実施の形態に用いた物品支持片で、該物品支持片３２は、箱体２と一体形成され、４個の化粧品容器２３を箱体２内で支持するものである。
【００５２】
ここで、物品支持片３２は、箱体２を構成する長尺側面部４（一方の長尺側面部）の下端側（下側開口部８側）に設けられ、図６中の点線で示す折曲げ線２２の位置から箱体２の内部に向けて斜めに折返された折返し部３３と、該折返し部３３の先端から水平方向に延びた取付部３４とからなっている。そして、取付部３４の先端側には、掛止め部としての４個のＵ字状の切欠溝３４Ａが形成されている。この場合、各切欠溝３４Ａの幅寸法Ａは、化粧品容器２３を構成する取出し口２３Ｂの外径寸法よりも大きく、キャップ２３Ｃの外径寸法よりも小さく設定されている。
【００５３】
ここで、物品支持片３２の折返し部３３は、折曲げ線２２の位置を中心として箱体２（長尺側面部４）の内壁面に向かう弾性力を有している。また、下側蓋部１４によって下側開口部８を閉塞したときには、図７に示すように、下側蓋部１４の押圧部１４Ａが、物品支持片３２に下面側から当接し、これを箱体２の内側へ向けて押圧する。
【００５４】
従って、物品支持片３２には、それ自体の弾性力と下側蓋部１４の押圧部１４Ａからの押圧力とが同時に作用するようになり、物品支持片３２の各切欠溝３４Ａに取付けられた化粧品容器２３は、箱体２の長尺側面部４と上側蓋部１７とに当接する。これにより、化粧品容器２３は、物品支持片３２と箱体２の内壁面（長尺側面部４、上側蓋部１７）との間で挟持されてほぼ固定され、箱体２内に安定して収容される構成となっている。
【００５５】
本実施の形態による物品包装体３１は上述の如き物品支持片３２を備えるもので、該物品支持片３２によって各化粧品容器２３を箱体２内で安定して支持するという基本的作用については、上述した第１の実施の形態によるものと格別差異はない。
【００５６】
然るに、本実施の形態によれば、物品支持片３２を、箱体２の長尺側面部４から箱体２の内部に向けて斜めに折返された折返し部３３と、該折返し部３３の先端から水平方向に延びた取付部３４とにより構成し、この取付部３４の先端に切欠溝３４Ａを設ける構成としている。
【００５７】
これにより、化粧品容器２３のキャップ２３Ｃを最下部とした状態で、該化粧品容器２３を物品支持片３２の切欠溝３４Ａに差込むことにより、該切欠溝３４Ａに化粧品容器２３を容易に掛止めすることができ、物品包装体３１内に複数の化粧品容器２３を効率良く収容することができる。
【００５８】
次に、図８および図９は本発明の第３の実施の形態を示し、本実施の形態の特徴は、箱体を構成する長尺側面部に、左，右の切込み部と折曲げ線とを設けることにより、箱体の開口部を拡張する構成としたことにある。なお、本実施の形態では、上述した第１の実施の形態と同一の構成要素に同一符号を付し、その説明を省略するものとする。
【００５９】
図中、４１は本実施の形態による物品包装体で、該物品包装体４１は、第１の実施の形態による物品包装体１とほぼ同様に、後述の箱体４２と、物品支持片４５とにより大略構成されている。
【００６０】
ここで、物品包装体４１を構成する箱体４２と物品支持片４５とは、第１の実施の形態と同様に、透明な１枚の弾性シートを用いて一体形成され、図８は物品包装体４１を組立てた状態を示し、図９は物品包装体４１を展開した状態を示している。なお、物品包装体４１の素材となる弾性シートの材質としては、例えばポリエチレンテレフタレートもしくはその共重合体、ポリプロピレンもしくはその共重合体、ポリスチレンもしくはその共重合体、あるいはこれらの積層体等が挙げられる。また、弾性シートの厚みは、該弾性シートを折曲げたときの弾性力を確保するために、好ましくは０．２〜０．５ｍｍに設定されている。
【００６１】
４２は第１の実施の形態による箱体２に代えて本実施の形態に用いた箱体で、該箱体４２は、第１の実施の形態によるものとほぼ同様に、前，後の長尺側面部３，４、左，右の短尺側面部５，６、下側蓋部１４、上側蓋部１７等により構成されている。しかし、長尺側面部３に後述の切込み部４３、折曲げ線４４を形成した点で異なっている。
【００６２】
４３，４３は箱体４２を構成する長尺側面部３に形成された左，右の切込み部で、これら各切込み部４３は、図９に示すように、下側蓋体１４の左，右両側から長尺側面部３の上，下方向の途中部位までＬ字状の切込みを入れることにより形成されている。
【００６３】
４４は左，右の切込み部４３間を接続するように左，右方向に延びた折曲げ線で、該折曲げ線４４は、長尺側面部３と下側蓋部１４の間の折曲げ線１５と平行に延びている。
【００６４】
従って、箱体４２の下側蓋部１４を、この折曲げ線４４に沿って箱体４２の外側に折曲げる（開く）ことにより、左，右の切込み部４３，４３によって箱体４２の下側開口部８を拡張することができる。
【００６５】
これにより、例えば図１０に示すように、下側蓋部１４が上方となるように物品包装体４１を配置した状態で、下側蓋部１４を開くことにより、箱体４２内に収容した各化粧品容器２３の視認性を高めることができる構成となっている。
【００６６】
４５は第１の実施の形態による物品支持片２１に代えて本実施の形態に用いた物品支持片で、該物品支持片４５は、箱体４２を構成する長尺側面部４の下端側（下側開口部８側）に設けられ、図９中の点線で示す折曲げ線２２の位置から箱体４２の内部に向けて斜めに折返された折返し部４６と、該折返し部４６の先端から水平方向に延びた取付部４７とからなっている。そして、取付部４７の先端側には、掛止め部としての４個のＵ字状の切欠溝４７Ａが形成され、各切欠溝４７Ａの幅寸法Ａは、化粧品容器２３を構成する取出し口２３Ｂの外径寸法よりも大きく、キャップ２３Ｃの外径寸法よりも小さく設定されている。
【００６７】
ここで、物品支持片４５の折返し部４６は、折曲げ線２２の位置を中心として箱体４２（長尺側面部４）の内壁面に向かう弾性力を有し、下側蓋部１４によって下側開口部８を閉塞したときには、下側蓋部１４の押圧部１４Ａが、物品支持片４５に下面側から当接し、これを箱体４２の内側へ向けて押圧する。これにより、物品支持片４５に取付けられた複数の化粧品容器２３は、物品支持片４５と箱体２の内壁面（長尺側面部４、上側蓋部１７）との間で挟持されてほぼ固定され、箱体２内に安定して収容される構成となっている。
【００６８】
本実施の形態による物品包装体４１は上述の如き構成を有するもので、物品支持片４５によって複数の化粧品容器２３を箱体４２内で安定して支持するという基本的作用については、上述した第１の実施の形態によるものと格別差異はない。
【００６９】
然るに、本実施の形態によれば、物品支持片４５を、箱体４２の長尺側面部４から箱体４２の内部に向けて斜めに折返された折返し部４６と、該折返し部４６の先端から水平方向に延びた取付部４７とにより構成し、この取付部４７の先端に切欠溝４７Ａを設ける構成としている。
【００７０】
これにより、化粧品容器２３のキャップ２３Ｃを最下部とした状態で、該化粧品容器２３を物品支持片４５の切欠溝４７Ａに差込むことにより、化粧品容器２３を、キャップ２３Ｃを最下部として上，下方向に直立させることができる。
【００７１】
従って、例えば図１０に示すように、下側蓋部１４が上面となり、上側蓋部１７が底面となるように物品包装体４１をテーブル等（図示せず）に載置することにより、キャップ２３Ｃを最上部として化粧品容器２３を上，下方向に直立させることができる。
【００７２】
この状態で、長尺側面部３に設けた折曲げ線４４に沿って、下側蓋部１４を箱体４２の外側に折曲げる（開く）ことにより、長尺側面部３に設けた左，右の切込み部４３，４３によって箱体４２の下側開口部８を拡張することができ、箱体４２内に収容した各化粧品容器２３の視認性を高めることができる。
【００７３】
さらに、拡張した下側開口部８を通じて、物品包装体４１内に収容された化粧品容器２３からキャップ２３Ｃを容易に取外すことができる。このため、例えば化粧品容器２３内にネイルカラー液等が充填され、キャップ２３Ｃにネイルカラー液を塗布する筆２３Ｄが設けられている場合等において、化粧品容器２３を物品包装体４１から取出すことなく、物品包装体４１内に化粧品容器２３を収容したままの状態で、該化粧品容器２３内のネイルカラー液を筆２３Ｄによって容易に取出すことができる。
【００７４】
従って、複数の化粧品容器２３を物品包装体４１内に収容して店頭等に輸送した後、この物品包装体４１をそのまま商品の陳列ケースとしても利用することができる。
【００７５】
なお、上述した第１の実施の形態では、物品支持片２１にＵ字状の切欠溝２４Ａを設けた場合を例示している。しかし、本発明はこれに限るものではなく、例えば化粧品容器２３のキャップ２３Ｃが挿通される孔を設ける構成としてもよい。このことは、第２，第３の実施の形態についても同様である。
【００７６】
また、上述した各実施の形態では、物品包装体１，３１，４１内に複数（４個）の化粧品容器２３を収容した場合を例示している。しかし、本発明はこれに限るものではなく、２個、３個または５個以上の化粧品容器２３を収容する構成としてもよい。
【００７７】
また、上述した各実施の形態では、物品包装体１，３１，４１を形成する素材として透明な弾性シートを用いた場合を例示している。しかし、本発明はこれに限らず、例えば不透明な弾性シート、あるいは着色剤等で着色した半透明な弾性シートを用いてもよい。
【００７８】
また、上述した各実施の形態では、物品包装体１，３１，４１内に収容する物品として化粧品容器２３を例示している。しかし、本発明はこれに限らず、例えば薬品、食品、電気製品（電球）等の球面部を有する物品、複数の球面が組合わされた物品、瓢箪型、白熱電球型等の一部分でも球面部を有する不安定な形状を有する物品にも広く適用することができる。
【００７９】
また、上述した各実施の形態では、上側蓋部１７または下側蓋部１４が底面となるようにして物品包装体１，３１，４１をテーブル等に載置する場合を例示している。しかし、本発明はこれに限らず、短尺側面部５，６のいずれかを底面となるようにして物品包装体１，３１，４１を店頭のテーブル等に載置することにより、キャップ２３Ｃを横向きとした状態で各化粧品容器２３を陳列することもできる。
【図面の簡単な説明】
【００８０】
【図１】本発明の第１の実施の形態による物品包装体、化粧品容器を示す斜視図である。
【図２】物品包装体を展開した状態で示す平面図である。
【図３】箱体の蓋部を開いた状態で示す斜視図である。
【図４】箱体、物品支持片、化粧品容器を示す横断面図である。
【図５】第２の実施の形態による物品包装体、化粧品容器を示す斜視図である。
【図６】物品包装体を展開した状態で示す平面図である。
【図７】箱体、物品支持片、化粧品容器を示す横断面図である。
【図８】第３の実施の形態による物品包装体、化粧品容器を示す斜視図である。
【図９】物品包装体を展開した状態で示す平面図である。
【図１０】物品包装体の下側蓋部を開いた状態を示す斜視図である。
【符号の説明】
【００８１】
１，３１，４１  物品包装体
２，４２  箱体
３，４  長尺側面部
５，６  短尺側面部
８  下側開口部
９  上側開口部
１４  下側蓋部
１４Ａ  押圧部
１７  上側蓋部
２１，３２，４５  物品支持片
２１Ａ，３４Ａ，４７Ａ  切欠溝（掛止め部）
２３  化粧品容器（物品）
３３，４６  折返し部
３４，４７  取付部
４３  切込み部
４４  折曲げ線
【図１】
2005145546.tif 000003
【図２】
2005145546.tif 000004
【図３】
2005145546.tif 000005
【図４】
2005145546.tif 000006
【図５】
2005145546.tif 000007
【図６】
2005145546.tif 000008
【図７】
2005145546.tif 000009
【図８】
2005145546.tif 000010
【図９】
2005145546.tif 000011
【図１０】
2005145546.tif 000012